(57)【要約】  本発明は、無線通信システムにおけるオールモストブランクサブフレームの使用を管理するためのシステム及び方法に関する。無線ネットワーク内の基地局は、ネットワークノードに影響を与える負荷情報を監視する。負荷情報は、負荷指標情報の形態とすることができる。負荷情報は、システム要素の間で交換することができ、基地局のうちの１つ又はそれ以上によってオールモストブランクサブフレーム比率を更新することができ、情報は、更新された比率に関連する。更新されたオールモストブランクサブフレーム比率は、スケジューリング及び負荷指標計算、並びにオールモストブランクサブフレームパターン決定において用いることができる。オールモストブランクサブフレーム情報及び負荷指標情報の更新は、反復的に実施することができる。【選択図】図２
2014532345.tif 000002
【特許請求の範囲】
【請求項１】
メモリと、
少なくとも１つのプロセッサと、
命令プログラムと、
を備える装置であって、
前記命令プログラムは、前記メモリ及び前記少なくとも１つのプロセッサを用いて、少なくとも、
ネットワークの１つ又はそれ以上のノードに影響を与える負荷に関する負荷情報を監視する段階と、
オールモストブランクサブフレーム比率を、前記負荷情報に基づく更新された比率を作成するように更新する段階と、
を含む措置を実施するように前記装置を構成するように構成されていることを特徴とする装置。
【請求項２】
前記負荷情報は、負荷指標情報を含む、請求項１に記載の装置。
【請求項３】
前記装置はネットワークノードであり、負荷指標情報は、少なくとも１つの他のネットワークノードが受ける負荷条件に関し、前記更新されたオールモストブランクサブフレーム比率は、前記装置によって監視される負荷指標情報と、前記少なくとも１つの他のネットワークノードが受ける負荷条件に関連する負荷指標情報とに基づく、請求項２に記載の装置。
【請求項４】
前記装置はネットワークノードであり、前記オールモストブランクサブフレーム比率を更新する段階は、前記オールモストブランクサブフレーム比率を反復的に更新する段階と、負荷指標情報を検査する段階とを含む、請求項１に記載の装置。
【請求項５】
前記オールモストブランクサブフレーム比率を反復的に更新する段階は、ＵＥを少なくとも第１のネットワークノードと少なくとも第２のネットワークノードとの間で配分するように負荷バランス調整を実施する段階を含む、請求項４に記載の装置。
【請求項６】
負荷指標情報は、分散型シグナリングを用いて少なくとも１つの他のネットワークノードと共有される、請求項３に記載の装置。
【請求項７】
負荷指標情報は、中央集中型シグナリングを用いて少なくとも１つの他のネットワークノードと共有され、該中央集中型シグナリングは、中央コントローラを通る経路指定情報を含む、請求項３に記載の装置。
【請求項８】
前記負荷指標情報は、比例公平性負荷指標に関する、請求項７に記載の装置。
【請求項９】
前記措置は、前記更新された比率に基づいて更新されたオールモストブランクサブフレームパターンを生成する段階を更に含む、請求項１に記載の装置。
【請求項１０】
前記装置はネットワークのノードであり、前記措置は、前記ネットワークの他のノードに、前記更新された比率及び更新されたオールモストブランクサブフレームパターンのうちの１つ又はそれ以上を通知する段階を更に含む、請求項９に記載の装置。
【請求項１１】
前記更新されたパターンの選択は、共通最小サブセットを含むサブフレームセットをオールモストブランクサブフレームとして指定する段階と、前記共通最小サブセットを、前記ＡＢＳサブフレームの内部のチャネル品質を表すために測定を行う際に測定制限サブセットとして用いられるように、少なくとも１つのユーザデバイスに提供する段階とを含む、請求項９に記載の装置。
【請求項１２】
前記更新されたパターンの選択は、共通最小サブセットを含むサブフレームセットをオールモストブランクサブフレームとして指定する段階を含み、前記措置は、前記共通最小サブセットを、前記オールモストブランクサブフレームの内部のチャネル品質を表すために測定を行う際に測定制限サブセットとして用いられるように、少なくとも１つのユーザデバイスに提供する段階と、オールモストブランクサブフレームとして指定された前記サブフレームセットが適応される際に、前記測定制限サブセットを更新しない段階とを更に含む、請求項９に記載の装置。
【請求項１３】
前記措置は、前記装置に隣接するセルの局所区域に関するオールモストブランクサブフレームの比率及びパターンの選択を実施する段階と、オールモストブランクサブフレーム比率及びパターン選択情報を、前記局所区域の外側にあるノードと交換する段階とを更に含む、請求項９に記載の装置。
【請求項１４】
前記少なくとも１つの他のネットワークノードから受信される負荷指標情報は、比例公平性指標を含む、請求項３に記載の装置。
【請求項１５】
前記比例公平性指標は、前記他のネットワークノードの隣接セルがオールモストブランクサブフレームを用いる所定の間隔にわたって平均化される、請求項１４に記載の装置。
【請求項１６】
前記比例公平性指標は、前記他のネットワークノードの隣接セルがオールモストブランクサブフレームを用いない所定の間隔にわたって平均化される、請求項１５に記載の装置。
【請求項１７】
前記少なくとも１つの他のネットワークノードから受信される負荷指標情報は、前記他のネットワークノードがオールモストブランクサブフレームを用いない所定の間隔にわたって平均化された比例公平性指標を含む、請求項１６に記載の装置。
【請求項１８】
オールモストブランクサブフレーム比率を更新する段階は、
前記少なくとも１つの他のネットワークノードの第１のサブセットに関係する負荷指標の第１の和を計算する段階であって、前記少なくとも１つの他のネットワークノードの第１のサブセット内のネットワークノードに関係する負荷指標が、所定の間隔にわたる比例公平性指標であり、前記少なくとも１つの他のネットワークノードの第１のサブセット内のネットワークノードの少なくとも１つの隣接セルがオールモストブランクサブフレームを用いる段階と、
前記少なくとも１つの他のネットワークノードのうちの１つ又はそれ以上の第１のサブセットに関係する負荷指標の第２の和を計算する段階であって、前記少なくとも１つの他のネットワークノードの第１のサブセット内のネットワークノードに関係する負荷指標が、所定の間隔にわたる比例公平性指標であり、前記少なくとも１つの他のネットワークノードの第１のサブセット内のネットワークノードの隣接セルがオールモストブランクサブフレームを用いない段階と、
前記少なくとも１つの他のネットワークノードのうちの１つ又はそれ以上の第２のサブセットに関係する負荷指標の第３の和を計算する段階であって、前記少なくとも１つの他のネットワークノードの第２のサブセット内のネットワークノードに関係する負荷指標が、所定の間隔にわたって平均化された比例公平性指標であり、前記少なくとも１つの他のネットワークノードの第２のサブセット内のネットワークノードがオールモストブランクサブフレームを用いない段階と、
更新されたオールモストブランクサブフレーム比率を、前記第１の和、前記第２の和、及び前記第３の和の関数として決定する段階と、
を含む、請求項１４に記載の装置。
【請求項１９】
前記負荷バランス調整を実施する段階は、前記負荷指標に基づいてハンドオーバ閾値を修正する段階を含む、請求項５に記載の装置。
【請求項２０】
前記シグナリングは、３ＧＰＰ  Ｘ２メッセージの使用を含む、請求項６に記載の装置。
【請求項２１】
前記シグナリングは、複合残余容量（Ｃｏｍｐｏｓｉｔｅ  Ａｖａｉｌａｂｌｅ  Ｃａｐａｃｉｔｙ）情報要素の使用を更に含む、請求項６に記載の装置。
【請求項２２】
前記複合残余容量情報要素は、Ｋが定数である（１／（１＋Ｋ＊ＰＦ））で表され、パーセンテージとして表わされる比例公平性指標表現を含む、請求項２１に記載の装置。
【請求項２３】
更新されたパターンの選択は、サブフレームセットを、非オールモストブランクサブフレーム共通最小サブセットを含む非オールモストブランクサブフレームとして指定する段階を含む、請求項１２に記載の装置。
【請求項２４】
前記措置は、少なくとも１つのユーザデバイスに、前記オールモストブランクサブフレーム共通最小サブセットと、前記非ＡＢＳサブフレーム共通最小サブセットとの両方を提供する段階を更に含む、請求項２３に記載の装置。
【請求項２５】
前記少なくとも１つのユーザデバイスに、前記オールモストブランクサブフレーム共通最小サブセットと、前記非オールモストブランクサブフレーム共通最小サブセットとの両方を提供する段階は、前記オールモストブランクサブフレーム共通最小サブセットを、少なくとも１つのセルに関するチャネル品質を表すために測定を行う際の測定制限サブセットとして用いるように前記少なくとも１つのデバイスを構成する段階と、前記非オールモストブランクサブフレーム共通最小サブセットを、少なくとも１つのセルに関するチャネル品質を表すために測定を行う際の測定制限サブセットとして用いるように前記少なくとも１つのデバイスを構成する段階とを含む、請求項２４に記載の装置。
【請求項２６】
前記更新されたオールモストブランクサブフレーム比率を、第１の和、第２の和、及び第３の和の関数として決定する段階は、
前記第１の和と前記第２の和と前記第３の和との重み付き合計に対する前記第１の和の比を決定する段階と、
前記比と、前記オールモストブランクサブフレーム比率の現在値とに基づいてステップサイズを決定する段階と、
前記更新されたオールモストブランクサブフレーム比率を、前記オールモストブランクサブフレーム比率の前記現在値と前記ステップサイズとの和として決定する段階と、
を含む、請求項１８に記載の装置。
【請求項２７】
無線通信ネットワークの１つ又はそれ以上のノードに影響を与える負荷に関する負荷情報を監視する段階と、
オールモストブランクサブフレーム比率を、前記負荷情報に基づいて更新された比率を作成するように更新する段階と、
を少なくとも含む措置を実行するよう装置を制御するように少なくとも１つのプロセッサを構成する段階を含む方法。
【請求項２８】
前記負荷情報は、負荷指標情報を含む、請求項２７に記載の方法。
【請求項２９】
前記装置はネットワークノードであり、負荷指標情報は、少なくとも１つの他のネットワークノードが受ける負荷条件に関し、前記更新されたオールモストブランクサブフレーム比率は、前記装置によって監視される負荷指標情報と、前記少なくとも１つの他のネットワークノードが受ける負荷条件に関連する負荷指標情報とに基づく、請求項２８に記載の方法。
【請求項３０】
前記装置はネットワークノードであり、前記オールモストブランクサブフレーム比率を更新する段階は、前記オールモストブランクサブフレーム比率を反復的に更新する段階と、負荷指標情報を検査する段階とを含む、請求項２７に記載の方法。
【請求項３１】
前記オールモストブランクサブフレーム比率を反復的に更新する段階は、ＵＥを少なくとも第１のネットワークノードと少なくとも第２のネットワークノードとの間で配分するように負荷バランス調整を実施する段階を含む、請求項３０に記載の方法。
【請求項３２】
負荷指標情報は、分散型シグナリングを用いて少なくとも１つの他のネットワークノードと共有される、請求項２９に記載の方法。
【請求項３３】
負荷指標情報は、中央集中型シグナリングを用いて少なくとも１つの他のネットワークノードと共有され、該中央集中型シグナリングは、中央コントローラを通る経路指定情報を含む、請求項２９に記載の方法。
【請求項３４】
前記負荷指標情報は、比例公平性負荷指標に関する、請求項３３に記載の方法。
【請求項３５】
前記措置は、前記更新された比率に基づいて更新されたオールモストブランクサブフレームパターンを生成する段階を更に含む、請求項２７に記載の方法。
【請求項３６】
前記装置はネットワークのノードであり、前記措置は、前記ネットワークの他のノードに、前記更新された比率及び更新されたオールモストブランクサブフレームパターンのうちの１つ又はそれ以上を通知する段階を更に含む、請求項３５に記載の方法。
【請求項３７】
更新されたパターンの選択は、共通最小サブセットを含むサブフレームセットをオールモストブランクサブフレームとして指定する段階と、前記共通最小サブセットを、前記ＡＢＳサブフレームの内部のチャネル品質を表すために測定を行う際に測定制限サブセットとして用いられるように、少なくとも１つのユーザデバイスに提供する段階とを含む、請求項３５に記載の方法。
【請求項３８】
前記更新されたパターンの選択は、共通最小サブセットを含むサブフレームセットをオールモストブランクサブフレームとして指定する段階を含み、前記措置は、前記共通最小サブセットを、前記オールモストブランクサブフレームの内部のチャネル品質を表すために測定を行う際に測定制限サブセットとして用いられるように、少なくとも１つのユーザデバイスに提供する段階と、オールモストブランクサブフレームとして指定された前記サブフレームセットが適応される際に、前記測定制限サブセットを更新しない段階とを更に含む、請求項３５に記載の方法。
【請求項３９】
前記措置は、該装置に隣接するセルの局所区域に関するオールモストブランクサブフレームの比率及びパターンの選択を実施する段階と、オールモストブランクサブフレーム比率及びパターン選択情報を、前記局所区域の外側にあるノードと交換する段階とを更に含む、請求項３３に記載の方法。
【請求項４０】
前記少なくとも１つの他のネットワークノードから受信される負荷指標情報は、比例公平性指標を含む、請求項２９に記載の方法。
【請求項４１】
前記比例公平性指標は、前記他のネットワークノードの隣接セルがオールモストブランクサブフレームを用いる所定の間隔にわたって平均化される、請求項４０に記載の方法。
【請求項４２】
前記比例公平性指標は、前記他のネットワークノードの隣接セルがオールモストブランクサブフレームを用いない所定の間隔にわたって平均化される、請求項４１に記載の方法。
【請求項４３】
前記少なくとも１つの他のネットワークノードから受信される負荷指標情報は、前記他のネットワークノードがオールモストブランクサブフレームを用いない所定の間隔にわたって平均化された比例公平性指標を含む、請求項４０に記載の方法。
【請求項４４】
オールモストブランクサブフレーム比率を更新する段階は、
前記少なくとも１つの他のネットワークノードの第１のサブセットに関係する負荷指標の第１の和を計算する段階であって、前記少なくとも１つの他のネットワークノードの第１のサブセット内のネットワークノードに関係する負荷指標が、所定の間隔にわたる比例公平性指標であり、前記少なくとも１つの他のネットワークノードの第１のサブセット内のネットワークノードの少なくとも１つの隣接セルがオールモストブランクサブフレームを用いる段階と、
前記少なくとも１つの他のネットワークノードのうちの１つ又はそれ以上の第１のサブセットに関係する負荷指標の第２の和を計算する段階であって、前記少なくとも１つの他のネットワークノードの第１のサブセット内のネットワークノードに関係する負荷指標が、所定の間隔にわたる比例公平性指標であり、前記少なくとも１つの他のネットワークノードの第１のサブセット内のネットワークノードの隣接セルがオールモストブランクサブフレームを用いない段階と、
前記少なくとも１つの他のネットワークノードのうちの１つ又はそれ以上の第２のサブセットに関係する負荷指標の第３の和を計算する段階であって、前記少なくとも１つの他のネットワークノードの第２のサブセット内のネットワークノードに関係する負荷指標が、所定の間隔にわたって平均化された比例公平性指標であり、前記少なくとも１つの他のネットワークノードの第２のサブセット内のネットワークノードがオールモストブランクサブフレームを用いない段階と、
更新されたオールモストブランクサブフレーム比率を、前記第１の和、前記第２の和、及び前記第３の和の関数として決定する段階と、
を含む、請求項４０に記載の方法。
【請求項４５】
負荷バランス調整を実施する段階は、前記負荷指標に基づいてハンドオーバ閾値を修正する段階を含む、請求項３１に記載の方法。
【請求項４６】
前記シグナリングは、３ＧＰＰ  Ｘ２メッセージの使用を含む、請求項３２に記載の方法。
【請求項４７】
前記シグナリングは、複合残余容量情報要素の使用を更に含む、請求項３２に記載の方法。
【請求項４８】
前記合残余容量情報要素は、Ｋが定数である、（１／（１＋Ｋ＊ＰＦ））で表され、パーセンテージとして表わされる比例公平性指標表現を含む、請求項４７に記載の方法。
【請求項４９】
更新されたパターンの選択は、サブフレームセットを、非オールモストブランクサブフレーム共通最小サブセットを含む非オールモストブランクサブフレームとして指定する段階を含む、請求項３８に記載の方法。
【請求項５０】
前記措置は、少なくとも１つのユーザデバイスに、前記オールモストブランクサブフレーム共通最小サブセットと、前記非ＡＢＳサブフレーム共通最小サブセットとの両方を提供する段階を更に含む、請求項４９に記載の方法。
【請求項５１】
前記少なくとも１つのユーザデバイスに、前記オールモストブランクサブフレーム共通最小サブセットと、前記非オールモストブランクサブフレーム共通最小サブセットとの両方を提供する段階は、前記オールモストブランクサブフレーム共通最小サブセットを、少なくとも１つのセルに関するチャネル品質を表すために測定を行う際の測定制限サブセットとして用いるように前記少なくとも１つのデバイスを構成する段階と、前記非オールモストブランクサブフレーム共通最小サブセットを、少なくとも１つのセルに関するチャネル品質を表すために測定を行う際の測定制限サブセットとして用いるように前記少なくとも１つのデバイスを構成する段階とを含む、請求項４９に記載の方法。
【請求項５２】
前記更新されたオールモストブランクサブフレーム比率を、第１の和、第２の和、及び第３の和の関数として決定する段階は、
前記第１の和と前記第２の和と前記第３の和との重み付き合計に対する前記第１の和の比を決定する段階と、
前記比と、前記オールモストブランクサブフレーム比率の現在値とに基づいてステップサイズを決定する段階と、
前記更新されたオールモストブランクサブフレーム比率を、前記オールモストブランクサブフレーム比率の前記現在値と前記ステップサイズとの和として決定する段階と、
を含む、請求項４４に記載の方法。
【請求項５３】
命令プログラムを記憶するコンピュータ可読媒体であって、プロセッサによる該命令の実行により、
無線通信ネットワークの１つ又はそれ以上のノードに影響を与える負荷に関する負荷情報を監視する段階と、
オールモストブランクサブフレーム比率を、前記負荷情報に基づいて更新された比率を作成するように更新する段階と、
を少なくとも含む措置を実行するよう装置を構成するようになっている、コンピュータ可読媒体。
【請求項５４】
前記負荷情報は、負荷指標情報を含む、請求項５３に記載の方法。
【請求項５５】
前記装置はネットワークノードであり、負荷指標情報は、少なくとも１つの他のネットワークノードが受ける負荷条件に関し、前記更新されたオールモストブランクサブフレーム比率は、前記装置によって監視される負荷指標情報と、前記少なくとも１つの他のネットワークノードが受ける負荷条件に関連する負荷指標情報とに基づく、請求項５４に記載の方法。
【請求項５６】
前記装置はネットワークノードであり、前記オールモストブランクサブフレーム比率を更新する段階は、前記オールモストブランクサブフレーム比率を反復的に更新する段階と、負荷指標情報を検査する段階とを含む、請求項５３に記載の方法。
【請求項５７】
前記オールモストブランクサブフレーム比率を反復的に更新する段階は、ＵＥを少なくとも第１のネットワークノードと少なくとも第２のネットワークノードとの間で配分するように負荷バランス調整を実施する段階を含む、請求項５６に記載の方法。
【請求項５８】
負荷指標情報は、分散型シグナリングを用いて少なくとも１つの他のネットワークノードと共有される、請求項５７に記載の方法。
【請求項５９】
負荷指標情報は、中央集中型シグナリングを用いて少なくとも１つの他のネットワークノードと共有され、該中央集中型シグナリングは、中央コントローラを通る経路指定情報を含む、請求項５７に記載の方法。
【請求項６０】
前記負荷指標情報は、比例公平性負荷指標に関する、請求項５９に記載の方法。
【請求項６１】
前記措置は、前記更新された比率に基づいて更新されたオールモストブランクサブフレームパターンを生成する段階を更に含む、請求項５３に記載の方法。
【請求項６２】
前記装置はネットワークのノードであり、前記措置は、前記ネットワークの他のノードに、前記更新された比率及び更新されたオールモストブランクサブフレームパターンのうちの１つ又はそれ以上を通知する段階を更に含む、請求項６１に記載の方法。
【請求項６３】
前記更新されたパターンの選択は、共通最小サブセットを含むサブフレームセットをオールモストブランクサブフレームとして指定する段階と、前記共通最小サブセットを、前記ＡＢＳサブフレームの内部のチャネル品質を表すために測定を行う際に測定制限サブセットとして用いられるように、少なくとも１つのユーザデバイスに提供する段階とを含む、請求項６１に記載の方法。
【請求項６４】
前記更新されたパターンの選択は、共通最小サブセットを含むサブフレームセットをオールモストブランクサブフレームとして指定する段階を含み、前記措置は、前記共通最小サブセットを、前記オールモストブランクサブフレームの内部のチャネル品質を表すために測定を行う際に測定制限サブセットとして用いられるように、少なくとも１つのユーザデバイスに提供する段階と、オールモストブランクサブフレームとして指定された前記サブフレームセットが適応される際に、前記測定制限サブセットを更新しない段階とを更に含む、請求項６１に記載の方法。
【請求項６５】
前記措置は、前記装置に隣接するセルの局所区域に関するオールモストブランクサブフレームの比率及びパターンの選択を実施する段階と、オールモストブランクサブフレーム比率及びパターン選択情報を、前記局所区域の外側にあるノードと交換する段階とを更に含む、請求項６２に記載の方法。
【請求項６６】
前記少なくとも１つの他のネットワークノードから受信される負荷指標情報は、比例公平性指標を含む、請求項５５に記載の方法。
【請求項６７】
前記比例公平性指標は、前記他のネットワークノードの隣接セルがオールモストブランクサブフレームを用いる所定の間隔にわたって平均化される、請求項６６に記載の方法。
【請求項６８】
前記比例公平性指標は、前記他のネットワークノードの隣接セルがオールモストブランクサブフレームを用いない所定の間隔にわたって平均化される、請求項６７に記載の方法。
【請求項６９】
前記少なくとも１つの他のネットワークノードから受信される負荷指標情報は、前記他のネットワークノードがオールモストブランクサブフレームを用いない所定の間隔にわたって平均化された比例公平性指標を含む、請求項６６に記載の方法。
【請求項７０】
オールモストブランクサブフレーム比率を更新する段階は、
前記少なくとも１つの他のネットワークノードの第１のサブセットに関係する負荷指標の第１の和を計算する段階であって、前記少なくとも１つの他のネットワークノードの第１のサブセット内のネットワークノードに関係する負荷指標が、所定の間隔にわたる比例公平性指標であり、前記少なくとも１つの他のネットワークノードの第１のサブセット内のネットワークノードの少なくとも１つの隣接セルがオールモストブランクサブフレームを用いる段階と、
前記少なくとも１つの他のネットワークノードのうちの１つ又はそれ以上の第１のサブセットに関係する負荷指標の第２の和を計算する段階であって、前記少なくとも１つの他のネットワークノードの第１のサブセット内のネットワークノードに関係する負荷指標が、所定の間隔にわたる比例公平性指標であり、前記少なくとも１つの他のネットワークノードの第１のサブセット内のネットワークノードの隣接セルがオールモストブランクサブフレームを用いない段階と、
前記少なくとも１つの他のネットワークノードのうちの１つ又はそれ以上の第２のサブセットに関係する負荷指標の第３の和を計算する段階であって、前記少なくとも１つの他のネットワークノードの第２のサブセット内のネットワークノードに関係する負荷指標が、所定の間隔にわたって平均化された比例公平性指標であり、前記少なくとも１つの他のネットワークノードの第２のサブセット内のネットワークノードがオールモストブランクサブフレームを用いない段階と、
更新されたオールモストブランクサブフレーム比率を、前記第１の和、前記第２の和、及び前記第３の和の関数として決定する段階と、
を含む、請求項６９に記載の方法。
【請求項７１】
前記負荷バランス調整を実施する段階は、前記負荷指標に基づいてハンドオーバ閾値を修正する段階を含む、請求項６７に記載の方法。
【請求項７２】
前記シグナリングは、３ＧＰＰ  Ｘ２メッセージの使用を含む、請求項５８に記載の方法。
【請求項７３】
前記シグナリングは、複合残余容量情報要素の使用を更に含む、請求項５８に記載の方法。
【請求項７４】
前記複合残余容量情報要素は、Ｋが定数である（１／（１＋Ｋ＊ＰＦ））で表され、パーセンテージとして表わされる比例公平性指標表現を含む、請求項７３に記載の方法。
【請求項７５】
更新されたパターンの選択は、サブフレームセットを、非オールモストブランクサブフレーム共通最小サブセットを含む非オールモストブランクサブフレームとして指定する段階を含む、請求項６４に記載の方法。
【請求項７６】
前記措置は、少なくとも１つのユーザデバイスに、前記オールモストブランクサブフレーム共通最小サブセットと、前記非ＡＢＳサブフレーム共通最小サブセットとの両方を提供する段階を更に含む、請求項７５に記載の方法。
【請求項７７】
前記少なくとも１つのユーザデバイスに、前記オールモストブランクサブフレーム共通最小サブセットと、前記非オールモストブランクサブフレーム共通最小サブセットとの両方を提供する段階は、前記オールモストブランクサブフレーム共通最小サブセットを、少なくとも１つのセルに関するチャネル品質を表すために測定を行う際の測定制限サブセットとして用いるように前記少なくとも１つのデバイスを構成する段階と、前記非オールモストブランクサブフレーム共通最小サブセットを、少なくとも１つのセルに関するチャネル品質を表すために測定を行う際の測定制限サブセットとして用いるように前記少なくとも１つのデバイスを構成する段階とを含む、請求項７５に記載の方法。
【請求項７８】
前記更新されたオールモストブランクサブフレーム比率を、第１の和、第２の和、及び第３の和の関数として決定する段階は、
前記第１の和と前記第２の和と前記第３の和との重み付き合計に対する前記第１の和の比を決定する段階と、
前記比と、前記オールモストブランクサブフレーム比率の現在値とに基づいてステップサイズを決定する段階と、
前記更新されたオールモストブランクサブフレーム比率を、前記オールモストブランクサブフレーム比率の前記現在値と前記ステップサイズとの和として決定する段階と、
を含む、請求項７０に記載の方法。
【発明の詳細な説明】
【技術分野】
【０００１】
本発明は、一般的に無線通信に関する。より具体的には、本発明は、セル間の干渉及び負荷の管理のためのシステム及び方法に関する。
【背景技術】
【０００２】
無線ネットワーク事業者が直面する最も大きな問題のうちの１つは、様々な要求を有する多数の利用者に、これらの利用者にとって利用可能なインフラストラクチャを用いてサービスを提供する必要がある点である。数多くの要件が、特定のリソースセットによってサービス提供を受けることができる利用者数に影響を与え、絶え間ない努力が効率の改善に向けられている。効率を最大限に高める上での１つの重要な要件は、セル間の負荷の配分である。負荷の配分における１つの重要な機構は干渉管理である。
【０００３】
適正な干渉管理を必要とする１つの重要な種類のセル組み合わせは、マクロセルとピコセル等の不均一なセルの組み合わせである。幾つかのピコセルはマクロセルの境界内部で動作する場合があり、マクロｅＮＢ及びピコｅＮＢ等のマクロ基地局とピコ基地局との近位性は、適切な干渉管理を必要とする。
【先行技術文献】
【非特許文献】
【０００４】
【非特許文献１】３ＧＰＰ  ＴＳ  ３６．４２０−Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（進化型ユニバーサル地上無線アクセスネットワーク）（Ｅ−ＵＴＲＡＮ）；Ｘ２  ｇｅｎｅｒａｌ  ａｓｐｅｃｔｓ  ａｎｄ  ｐｒｉｎｃｉｐｌｅｓ（Ｘ２の一般的な態様及び原理）
【非特許文献２】３ＧＰＰ  ＴＳ  ３６．４２１−Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（進化型ユニバーサル地上無線アクセスネットワーク）（Ｅ−ＵＴＲＡＮ）；Ｘ２  ｌａｙｅｒ  １（Ｘ２レイヤ１）
【非特許文献３】３ＧＰＰ  ＴＳ  ３６．４２２−Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（進化型ユニバーサル地上無線アクセスネットワーク）（Ｅ−ＵＴＲＡＮ）；Ｘ２  ｓｉｇｎａｌｉｎｇ（Ｘ２シグナリング）
【非特許文献４】３ＧＰＰ  ＴＳ  ３６．４２３  −  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（進化型ユニバーサル地上無線アクセスネットワーク）（Ｅ−ＵＴＲＡＮ）；Ｘ２  ａｐｐｌｉｃａｔｉｏｎ  ｐｒｏｔｏｃｏｌ（Ｘ２アプリケーションプロトコル）（Ｘ２ＡＰ）
【発明の概要】
【課題を解決するための手段】
【０００５】
本発明の実施形態によると、装置は、メモリと、少なくとも１つのプロセッサと、命令プログラムとを備え、該命令プログラムは、メモリ及び少なくとも１つのプロセッサを用いて、少なくとも、ネットワークの１つ又はそれ以上のノードに影響を与える負荷に関する負荷指標情報を監視する段階と、負荷情報に基づいてオールモストブランクサブフレーム比率を更新する段階と、更新されたオールモストブランクサブフレーム比率に基づいて負荷指標計算をスケジューリングする段階とを含む措置を実施するように装置を構成するように構成されている。
【図面の簡単な説明】
【０００６】
【図１】本発明の実施形態によるネットワーク構成を示す。
【図２】本発明の実施形態によるプロセスを示す。
【図３】本発明の実施形態によるプロセスを示す。
【図４】本発明の実施形態によるプロセスを示す。
【図５】本発明の実施形態によるネットワーク構成を示す。
【図６】本発明の実施形態による基地局、ユーザ機器、及び中央サーバの詳細を示す。
【発明を実施するための形態】
【０００７】
本発明の様々な実施形態は、多くの場合にマクロセルとピコセルとが同じ地域内で動作し、従って１つのセルによってもう１つのセルに対して引き起こされる干渉が、ある特定の時点で意図的に低減される機構が実装されていることを認識する。１つのかかる機構は、３ＧＰＰリリース１０に説明されている時分割高度セル間干渉調整（ＴＤＭ−ｅＩＣＩＣ、さもなければｅＩＣＩＣ又は「Ｅｎｈａｎｃｅｄ  Ｉｎｔｅｒ−Ｃｅｌｌ  Ｉｎｔｅｒｆｅｒｅｎｃｅ  Ｃｏｏｒｄｉｎａｔｉｏｎ（高度セル間干渉調整）」として公知）である。この方式では、マクロこのセル、すなわちマクロｅＮｏｄｅＢ（ｅＮＢ又は基地局としても公知）が、ピコセルによる広範囲拡張の使用を可能にするために、オールモストブランクサブフレーム（ＡＢＳ）を用いる。かかる範囲拡張は、マクロセル内のＵＥを低負荷のピコセルに負荷分散する能力を高める。すなわち、通常、ピコ内でＵＥが受ける条件が、マクロセルからピコセルへのＵＥのハンドオーバを保証するには貧弱過ぎる場合であっても、ＡＢＳの使用は、ＵＥが十分に良好な条件を一時的に受けることを可能にし、結果的にかかるハンドオーバを実施可能にする。このような場合及び他の場合において、ハンドオーバ動作から得られる主な利点は負荷管理である。単純に、ハンドオーバが実施されなければサービスが受け入れ不能となる場合にハンドオーバを実施するのではなく、多くの場合、余剰容量を有する別のセルにＵＥを引き渡すことで１つのセル上の負荷を軽減することによって全体のスループットを高めるためにハンドオーバを実施することができる。本発明の実施形態は、マクロセルとピコセルとの間の負荷管理を管理するように特に適応された機構が存在することを認識する。更に本発明の実施形態は、スケジューリングが、各ネットワーク要素の間で負荷を割り振る１つの機構であることから、負荷管理をスケジューリングと連動させることによって重要な利点が得られることを認識する。従って本発明の実施形態は、比例公平性（ＰＦ）スケジューラ等のスケジューリング機構に関連する負荷推定値に基づいてハンドオーバ閾値を決定する。かかる決定は、ＡＢＳを伴うｅＩＣＩＣの使用に向けた実施形態を含むことができる。かかる決定がなされると、１つのセルにおいてなされた負荷決定を、適切な機構を通じて隣接セルに伝送することができ、これらの機構のうちの１つは、３ＧＰＰ  Ｘ２メッセージにおける標準の情報要素（ＩＥ）の使用を含むことができる。Ｔｈｉｒｄ  Ｇｅｎｅｒａｔｉｏｎ  Ｐａｒｔｎｅｒｓｈｉｐ  Ｐｒｏｊｅｃｔ（第３世代共同プロジェクト）（３ＧＰＰ）規格に定義されているＸ２インターフェース、例えば、３ＧＰＰ  ＴＳ  ３６．４２０−Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（進化型ユニバーサル地上無線アクセスネットワーク）（Ｅ−ＵＴＲＡＮ）；Ｘ２  ｇｅｎｅｒａｌ  ａｓｐｅｃｔｓ  ａｎｄ  ｐｒｉｎｃｉｐｌｅｓ（Ｘ２の一般的な態様及び原理）、３ＧＰＰ  ＴＳ  ３６．４２１−Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（進化型ユニバーサル地上無線アクセスネットワーク���（Ｅ−ＵＴＲＡＮ）；Ｘ２  ｌａｙｅｒ  １（Ｘ２レイヤ１）、３ＧＰＰ  ＴＳ  ３６．４２２−Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（進化型ユニバーサル地上無線アクセスネットワーク）（Ｅ−ＵＴＲＡＮ）；Ｘ２  ｓｉｇｎａｌｉｎｇ（Ｘ２シグナリング）、及び３ＧＰＰ  ＴＳ  ３６．４２３  −  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（進化型ユニバーサル地上無線アクセスネットワーク）（Ｅ−ＵＴＲＡＮ）；Ｘ２  ａｐｐｌｉｃａｔｉｏｎ  ｐｒｏｔｏｃｏｌ（Ｘ２アプリケーションプロトコル）（Ｘ２ＡＰ）を参照することができ、セル間で負荷情報を通信するために、かかるシグナリング機構を用いることができる。この場合、ハンドオーバ閾値を計算するために、決定及び負荷情報の交換を用いることができ、続いてこの閾値を、セルによるサービス提供を受けているＵＥ及び隣接するセルにサービスを提供している隣接ｅＮＢでの使用のために分配することができる。
【０００８】
ＡＢＳを用いるＴＤＭ−ｅＩＣＩＣにおいて、マクロｅＮＢ上での容量の過度の犠牲を回避し、それと同時にピコｅＮＢに対する干渉を最小限に抑えるためには、マクロセルによって用いられるＡＢＳサブフレームの比率が重要である。ＡＢＳ比又はＡＢＳ分率としても公知のＡＢＳサブフレームの比率は、ピコｅＮＢに対する干渉を最小限に抑えるためにマクロｅＮＢがオールモストブランクサブフレームを採用するサブフレームの分率を表す。ＡＢＳ比率は、複数のｅＮＢにおいて実質的に同じものとすること、又は異なるｅＮＢにおいて異なるものとすることができる。ｍｅＮＢによって採用されるＡＢＳ比率は、一般的に、マクロｅＮＢからの干渉を被るピコｅＮＢに通知される。それに加えて、ピコセル内のＵＥは、ＡＢＳ部分（干渉を低減するためにマクロｅＮＢがオールモストブランクサブフレームを用いる）の内部と非ＡＢＳ部分（マクロｅＮＢがオールモストブランクサブフレームを用いない）とで異なる干渉条件を受ける可能性があることから、ピコセルＵＥは、ＡＢＳ部分と非ＡＢＳ部分とで別個に内部のチャネル及び干渉条件を表すために、補足的なフィードバックをピコｅＮＢに供給することができる。かかるフィードバックは、ＵＥのサービス提供セル又は隣接セルに対するＵＥの観測チャネル及び干渉条件を表すことができる。３ＧＰＰリリース１０仕様によると、ＵＥが隣接セルを、指定又は制限されたサブフレームセットにおいてのみ測定することになるように、ＵＥが所与の隣接セルに対して行うべき測定に対して１つの「測定制限サブセット」を構成することができる。ここで、ＵＥが隣接ピコセルから測定値を取得するように構成されることになると仮定する。ＵＥは、隣接ピコセルを、ピコセルのＡＢＳ部分の内部においてのみ測定するように構成することができる。それとは逆に、ＵＥが、隣接するマクロセルに対して測定を行うように構成されることになる場合には、ＵＥは、隣接するマクロセルがＡＢＳを採用しないサブフレームのみにこの測定を制限するように構成することができる。ＵＥが、それ自体のサービス提供セル（隣接セルではなく）に対して行うことになる測定では、３ＧＰＰリリース１０仕様は、２つの測定制限サブセットを構成することを可能にする。すなわち、ＵＥは、指定されたサブフレームセットにおいてＵＥが受けるチャネル品質に各々が相応する２つの別個の測定セットを作るように構成することができる。ピコセルに接続されたＵＥが、それ自体のサービス提供ピコセルに対して行うことになる測定では、これらの２つの測定制限サブセットは、一般的に、一方の測定制限セットが、ピコセルのＡＢＳ部分のサブセットであり、それに対して第２の測定制限セットが、ピコセルの非ＡＢＳ部分のサブセットであるように構成されることになる。
【０００９】
ピコｅＮＢのスケジューラは、ＡＢＳ部分又は非ＡＢＳ部分のどちらの内部でＵＥに配分を与えるかを決定する上でかかるフィードバックを利用することができる。セル内のチャネル状態、干渉情報、並びにＵＥの分散及び個数に依存して、幾つかのＵＥは、ほとんどＡＢＳ部分の内部で配分を受けることができ、その他のＵＥは、ほとんど非ＡＢＳ部分の内部で配分を受けることができる。本発明の実施形態によるシステム及び方法は、マクロセルとピコセルとの間で負荷のバランスを調整するようにＡＢＳサブフレームの適応を調整する。「負荷」のアイデアは、スケジューラの挙動、すなわち、ユーザ機器（ＵＥ）等の異なるユーザデバイスへのリソースの配分管理と関連する。従って、本発明の実施形態によるシステム及び方法は、ＵＥによって与えられるチャネル状態フィードバックとＡＢＳの使用とを考慮して、マクロセル及びピコセル内のＵＥへのリソース配分を管理するスケジューリングと整合するように、ＡＢＳサブフレームの比率を管理すること、及びハンドオーバに対する閾値を負荷に基づいて適応させる方法と連係して動作することもできる。
【００１０】
ＡＢＳサブフレームの比率を適応させることとともに、本発明のシステム及び方法は、ブランクサブフレームの特定のパターンも提供する。従って本発明の実施形態は、
ＡＢＳサブフレームの比率を維持及び更新する段階と、
マクロｅＮＢ及びピコｅＮＢによって表すことができるネットワークノードの間のようにネットワーク要素の間で比例公平性に基づく負荷指標を交換するために、中央集中型シグナリング又は分散型シグナリングのうちの１つ又はそれ以上を含むことができる信号伝送を行う段階と、
更新されたＡＢＳパターンをネットワークノードに通知する段階と、
を含む措置を実施する。
【００１１】
ＡＢＳ比率の適応は、分散方式で実施する、或いは中央集中型コントローラ又は中央集中型サーバにおいて実施することができる。
【００１２】
負荷指標は、好適には、スケジューリング対象のＵＥの長期平均を与えるＰＦ指標とすることができる。この指標は、異なるサービス品質（ＱｏＳ）要件に関連する異なるベアラのサービス品質クラス識別子（ＱＣＩ）に対する重みを含む重み付きＰＦ指標とすること、又はそれを組み込むことができる。
【００１３】
図１は、本発明の実施形態に従って好適に動作するネットワーク１００を示す。ネットワーク１００は、マクロｅＮＢ１０２Ａ及び１０２Ｂに接続された中央集中サーバ１０１を好適に含む。ネットワーク１００は、マクロｅＮＢ１０２Ａの近位で動作するピコｅＮＢ１０４Ａ及び１０４Ｂ、並びにマクロｅＮＢ１０２Ｂの近位で動作するピコｅＮＢ１０６Ａ及び１０６Ｂも含む。また、中央集中サーバ１０１はピコｅＮＢに接続される。マクロｅＮＢ１０２Ａ及び１０２Ｂは、Ｘ２接続を通じて相互に接続され、ピコｅＮＢは、Ｘ２接続を通じてそれらのマクロｅＮＢに接続される。ネットワーク１００は、様々なｅＮＢの周囲に分散され、異なる時点でｅＮＢの様々なものに接続されるＵＥ１１０Ａ〜１１０Ｅを更に含む。
【００１４】
ネットワーク１００は、ゾーンコントローラ１１２と、ピコゾーンアクセスポイント（ＡＰ）１１４及び１１６とを含む。ゾーンコントローラの目的は、ピコゾーンアクセスポイントに対する局所制御及び管理機能を提供することとすることができる。ゾーンコントローラ１１２は、コントローラの下にある全てのＡＰにおける指標を収集することができ、次に、全ての個別ＡＰ指標又はＡＰ指標のサブセットのどちらかを隣接するマクロ又は中央集中サーバに報告すること、或いはピコの集合体を表す統合指標を報告することができる。ＡＰ指標のサブセットを選択する際に、コントローラは、ピコ集合体のトポロジーの把握内容を用いることができる。例えば、セルの集合体が「内部セル」と「周辺セル」とからなる場合、マクロからのＵＥは、内部セルではなく、まず周辺セルのうちの１つにハンドオーバされる可能性が高くなる。この場合、ゾーンコントローラは、ピコ集合体内の周辺セルにおける指標のみをマクロｅＮＢ又は中央集中コントローラに報告することができる。
【００１５】
本発明の実施形態は、以下に説明するように、比例公平性スケジューリングに基づいて負荷指標を計算し、次にこの負荷指標を用いてハンドオーバ閾値を決定することができる。
【００１６】
図２は、本発明の実施形態によるＡＢＳ比率管理のプロセス２００を示す。ＡＢＳ比率管理は、マクロノードとそれに隣接するピコノードとの間等のネットワークノードの間で配分すべきＡＢＳサブフレームの比率を好適に決定することができる。かかるＡＢＳ比率管理は、ネットワークノードにおけるＡＢＳサブフレームに関する比率情報を更新する段階と、比例公平性に好適に基づく負荷指標とすることができる負荷指標を交換するために信号伝送を行う段階と、他のネットワークノードに更新されたＡＢＳパターンを通知する段階とを好適に含む。本発明の様々な実施形態によるＡＢＳ比率の適応は、分散方式で実施すること、或いは中央集中コントローラ又は中央集中サーバにおいて実施することができる。
【００１７】
段階２０２において、無線ネットワークのセルに関する負荷情報を監視する。監視は、ｅＮＢによって行うことができ、ｅＮＢによる測定結果、或いはｅＮＢに報告されているＵＥ又は他のデバイスによる測定結果を含むことができる。負荷情報は、１つ又はそれ以上の負荷指標を含むこと、又はこれらの負荷指標を計算するために用いることができる。１つ又は複数の負荷指標は、スケジューリングされたＵＥの重み付き比例公平性指標とすることができ、これらの指標は、適切な時間スケールにわたる長期平均を好適に含む。負荷に対して、異なるベアラのＱＣＩに対して適切に選択された重みを用いる等、適切な重み付けを用いることができる。
【００１８】
負荷情報は、幾つかのセルに関して、ｅＮＢによって、又はセル内でサービスを提供するか又は動作するデバイスによって監視することができる。段階２０４では、負荷情報を、隣り合うｅＮＢの間、又はｅＮＢと中央集中サーバとの間で交換することができる。交換は、例えば、隣接ｅＮＢへのＸ２接続を介して、負荷状況を示すように設計された情報要素（ＩＥ）等の適切な指示を用いて行うことができる。負荷指標は、例えば、３ＧＰＰ規格に説明されているＸ２  Ｒｅｓｏｕｒｃｅ  Ｓｔａｔｕｓ  Ｕｐｄａｔｅ（Ｘ２リソース状況更新）メッセージに記載されている「複合残余容量」ＩＥを通じて伝送することができる。このＩＥは、セル内の「残余容量」を表す０と１００との間の整数として定義されており、セルにハンドオーバされる新しいユーザが受けることができるリソースの分率として解釈することができる。様々な実施形態は、セル内の負荷を残余容量のパーセンテージとして等価的に表すことによって、少なくとも部分的にＰＦ指標に基づいて負荷を表すことができる。一般的にセル内の負荷指標が上昇するにつれて、残余容量のパーセンテージは低下する。
【００１９】
段階２０６では、更新されたＡＢＳ比率が、ＰＦ指標に基づく負荷に基づいて好適に決定される。ＡＢＳ適応は、ａ≦ｆ（ａ；ｖa；ｖna；ｖM）である場合に新しいＡＢＳ値ａnew＝ａ＋Δａを設定し、その他の場合にａnew＝ａ−Δａを設定するルールに従うことによって好適に行うことができ、この式において用いられる項は以下のとおりである。
ａ＝ＡＢＳ比率の現在値である。
ｖM（ｍ）＝マクロセルｍにおける負荷（ＰＦ）指標であり、マクロセルインデックスｍは、１からＭまでの値をとることができる。マクロセルは、ＡＢＳサブフレーム内では実質的にいかなるリソースも配分しないことから、一般的にｖM（ｍ）は、マクロセルの非ＡＢＳサブフレーム内でマクロセルが受ける負荷を表す。
ｖa（ｐ）＝ピコセルｐのＡＢＳ部分内の負荷（ＰＦ）指標であり、ピコセルインデックスｐは、１からＰまでの値をとることができる。
ｖna（ｐ）＝ピコセルｐの非ＡＢＳ部分内の負荷（ＰＦ）指標であり、ピコセルインデックスｐは、１からＰまでの値をとることができる。
ｆ（ａ；ｖa；ｖna；ｖM）は、ＡＢＳサブフレームの望ましい目標比率を、ＡＢＳ比率の現在値ａと、前述の様々な負荷（ＰＦ）指標との関数として表す関数である。
【００２０】
この点に関する考察結果は、一般的にピコセルのＡＢＳ部分内の負荷（ＰＦ）指標ｖaを、ピコセルの非ＡＢＳ部分内の負荷（ＰＦ）指標ｖnaとは異なるものとすることができる点である。この特性は、ＵＥが過度に貧弱な性能を受けないように、公平性要件を用いて、ＵＥを良好なチャネル条件でスケジューリングすることによって得ることができるスペクトル効率の妥協点を求めようと試みる、ＰＦスケジューラ等のスケジューラに固有の特性である。前述のように、チャネル状態及びＵＥから受け取る干渉フィードバックと、セル内のＵＥの分散及び数とに依存して、幾つかのＵＥは、ほとんどＡＢＳ部分の内部で配分を受けることができ、その他のＵＥは、ほとんど非ＡＢＳ部分の内部で配分を受けることができる。例えば、ピコセルのＡＢＳ部分内の負荷（ＰＦ）指標ｖaは、ピコセル内で実質的にＡＢＳサブフレームの内部で配分を受けるユーザの数に比例するものとすることができ、ピコセルの非ＡＢＳ部分内の負荷（ＰＦ）指標ｖnaは、ピコセル内で実質的に非ＡＢＳサブフレームの内部で配分を受けるユーザの数に比例するものとすることができる。更に、ピコセルのＡＢＳ部分内の負荷（ＰＦ）指標ｖaは、ＡＢＳサブフレームの比率に反比例するものとすることができ、それに対してピコセルの非ＡＢＳ部分内の負荷（ＰＦ）指標ｖnaは、１からＡＢＳサブフレームの比率を引いたものに反比例するものとすることができる。従って、ｖaとｖnaとの相対値は、一般的にピコセルの内部のＵＥのチャネル条件の分散と、ピコセルが受けるＡＢＳ比率とに依存することになる。
【００２１】
関数ｆ（）は、ＡＢＳ比率の現在値ａを理想的に適応させる必要がある目標値を示す。しかしながら、セルラーシステムの複雑な動的性質を考えると、ＡＢＳ比率を理想的に所望の値に直接適応させるのは望ましくない可能性がある。その代わりに、多くの場合、現在値を小さなステップで増分又は減分するのがより有益である。従って、目標値が現在値よりも大きい場合には、現在値をステップサイズだけ増大させる必要があり、その他の場合には減少させる必要がある。ステップサイズΔａは、システムの安定性を保証する、例えば適応がシステムに所期の目標値をオーバーシュートさせないことを保証するように選ぶことができる。１つの実施形態ではΔａは一定とすることができ、他の実施形態では可変とすることができる。例えば、Δａは、関数ｆ（）によって決定される所望の目標値と現在値ａとの間の差分に依存するものとすることができる。他の実施形態では、現在値を正の方向に適応させる場合に用いる必要があるステップサイズは、現在値を負の方向に適応させる場合に用いられるステップサイズとは異なるものとすることができる。
【００２２】
関数ｆ（）は、好ましくは、所定のピコセルｐのＡＢＳ部分内の負荷指標ｖa（ｐ）の増加関数とすることができる。関数ｆ（）は、好ましくは、所定のピコセルｐの非ＡＢＳ部分内の負荷指標ｖna（ｐ）の減少関数とすることができ、それに加えて所定のマクロセルｍの非ＡＢＳ部分内の負荷ｖM（ｍ）の減少関数とすることができる。
【００２３】
関数ｆ（）の特定の形式は以下のとおりである。
2014532345.tif 000003
【００２４】
１つの実施形態では、ａ×ｖa（ｐ）という量は、ピコセルｐのＡＢＳ部分の内部で配分の大部分を受けるＵＥの数の尺度であり、それに対して（１−ａ）×ｖna（ｐ）という量は、ピコセルｐの非ＡＢＳ部分の内部で配分の大部分を受けるＵＥの数の尺度であり、（１−ａ）×ｖM（ｐ）という量は、マクロセルＭ内で配分を受けるＵＥの数の尺度である。１つの実施形態では、関数ｆは、システム内でピコセルに接続され、接続されたピコセルのＡＢＳ部分の内部で配分の大部分を受けるＵＥの、システム内のＵＥの総数に対する分率を表すことができる。
【００２５】
段階２０８では、ＡＢＳ比率を更新する段階を受けて、１つ又はそれ以上の選択されたマクロ及びピコのセル又はｅＮＢが、他のマクロｅＮＢ又はピコｅＮＢか、或いは中央集中サーバかのいずれかによって、Ｘ２接続を好適に用いて更新された比率の通知を受ける。一般的に、これらは、更新された比率に相応するＡＢＳパターンを適用することになるマクロｅＮＢ、及びこれらのマクロｅＮＢによる干渉を受けるピコＵＥのいずれかになる。更にこの更新に起因して、ＡＢＳ比率が更新されるセル内のＵＥセットに通知を行うこともできる。通知は、ＲＲＣ再構成等の既存のシグナリング機構を用いて行うことができる。一般的にこの通知の目的は、ＵＥが、ＡＢＳ部分の内部のチャネル及び干渉条件に相応する測定結果を、非ＡＢＳ部分の内部の条件とは別個に好適に可能にすることができるように、前述の測定制限サブセットを更新するようにＵＥに知らせることである。隣接するｅＮＢから受信される信号品質に関してＵＥが行う測定結果に対して同様の測定制限サブセットを提供することができる。段階２１０では、様々なｅＮＢが、更新されたＡＢＳ情報の把握内容を、スケジューリング及びリソース配分動作において、更に負荷指標計算において用いる。
【００２６】
図３には、本発明の実施形態によるＡＢＳ最適化の詳細を示すプロセスフロー３００が示されている。数学的には、「最適」ＡＢＳ比率を求めるという問題は、効用最大化問題として提起することができる。好適には、ＡＢＳ比は、マクロセル及びピコセルへのユーザの所定の関連付けに関して、マクロセル及びピコセルを含む全てのセル内のユーザの効用の和に基づくものとすることができるグローバルユーティリティを最大化するように設定される。マクロセル及びピコセルへのユーザの所定の関連付けにおいて、ＡＢＳ比率ａの最適値について解を求めることができる。上記に提示した式ｆ（）は、効用関数が対数関数ｌｏｇ（）である場合に最適解に対応する。実質的に任意の適切な効用関数を採用することができ、それに応じて式ｆ（）を修正することができる。一般的に、かかる効用関数の最適値を得るために、各セルは、比例公平性スケジューラを実装する。従って、ＡＢＳ比率のこの最適値は、ＡＢＳ部分及び非ＡＢＳ部分の内部の指標を含む（ピコセルの場合）、様々なセル内での負荷（ＰＦ）指標の所定の分散に対する最適値に対応する。プロセス３００は、大域最適条件に近づくために、ＡＢＳ比率の適応を適切な負荷バランス調整機構と好適に反復的に組み合わせる。
【００２７】
段階３０２において、ＡＢＳ比が選択される。
【００２８】
段階３０４では、セルへのＵＥの配分が、例えば負荷バランス調整を実施することによって決定される。負荷バランス調整は、ハンドオーバ閾値を修正することによって好適に行うことができる。このことは、更新されたＡＢＳ比に対応する観測負荷に基づくハンドオーバに関する閾値の修正を含み、修正されたハンドオーバ閾値に基づく１つのセルから別のセルへのＵＥのハンドオーバを生じることになる。
【００２９】
段階３０６では、負荷指標情報が監視され、ＡＢＳ適応に向けてセル間で交換され、段階３０８において、ユーザへのセルの現在の割り当てに対して最適なＡＢＳが決定される。このプロセスは、所定回数の反復、所定の目標を達成すること、又は改善率の衰えに到達すること等の停止基準が満たされるまで、セルの割り当て及びＡＢＳ比率を調節しながら反復的に繰り返される。
【００３０】
１つの実施形態では、負荷バランス調整プロセスとＡＢＳ適応プロセスとは、図４に示すように、異なる時間スケールにおける２つのループとして反復的に実行することができる。負荷バランス調整プロセスは、セル間で負荷を均等に分散させるために、負荷情報を好適に組み込むことによって、セル間のハンドオーバ閾値を適切に修正することができる。ｅＩＣＩＣ及びＡＢＳを用いるピコセルとの関連において、ハンドオーバ閾値の修正は、範囲拡張としても公知である。従って、負荷バランス調整プロセスは、様々なセル内の負荷を算入しながら適応的に範囲拡張値を決定することができる。段階４０２における負荷バランス調整プロセスは、高速時間スケールのインナーループとして実行することができ、それに対して段階４０４におけるＡＢＳ適応プロセスは、低速時間スケールのアウターループとして実行することができる。負荷バランス調整プロセス４０２は、ＡＢＳ適応プロセス４０４によって設定されるＡＢＳ比率の現在値に最適に対応して様々なセル内の負荷分散をバランス調整するためにハンドオーバ閾値を適応させようと試みることになる。低速時間スケールでは、アウターループＡＢＳ適応プロセス４０４は、ＡＢＳ比率及びパターンを更新することになり、インナーループ４０２は、更新されたＡＢＳ比率及びパターンに最適に対応するようにハンドオーバ閾値を修正しようと試みることになる。段階４０６は、スケジューリング、リソース配分、及び負荷の測定の動作に対応し、負荷バランス調整プロセス４０２及びＡＢＳ適応プロセス４０４によって適応されるハンドオーバ閾値を与える。
【００３１】
ここで図１の構成に戻ると、中央集中サーバ１０１は、ＡＢＳパターンの適応を調整することができる。マクロｅＮＢ及びピコｅＮＢは、負荷指標をサーバ１０１に伝送することができる。ピコセルは、負荷指標をサーバ１０１に直接伝送すること、又は指標をＸ２シグナリングによってマクロセルに伝送することができ、マクロセルは、ピコセルから受信した情報をサーバ１０１に中継伝送することができる。本発明の１つの実施形態では、各ピコは、１つがピコのＡＢＳ部分内の負荷（ＰＦ）指標（ｖa）を表し、１つがピコの非ＡＢＳ部分内の負荷（ＰＦ）指標（ｖna）を表す２つの指標を伝送する。マクロｅＮＢは、その負荷（ＰＦ）指標ｖMに対する値を供給する。中央集中サーバ１０１は、更新されたＡＢＳ比率を決定し、適切なＡＢＳパターンを選択し、次にこのパターンは、マクロｅＮＢに伝送される。サーバ１０１は、ピコｅＮＢと直接通信を行うことができ、又はサーバ１０１は、パターンをマクロｅＮＢに通信することができ、各マクロｅＮＢが、その近位で動作しているピコｅＮＢにこのパターンを伝送することができる。更新されたＡＢＳ比率パターンの決定は、単一のマクロセル及びこの単一のマクロに隣接するピコセルに関して、又はマクロセル群及びこのマクロセル群内のいずれかのマクロセルに隣接するピコセルに関して中央集中サーバによって実行することができる。
【００３２】
図示の特定の構成では、アクセスポイントセットに対して局所的な制御及び管理機能を提供するゾーンコントローラ１１２は、コントローラ１１２と関連するアクセスポイント（ＡＰ）１１４及び１１６の全てに対する指標を収集することができる。次に、コントローラ１１２は、個々のＡＰ指標の全てをサーバ１０１に報告すること、又はＡＰ指標のサブセットを報告すること、或いはピコセルの集合体を表す統合指標を報告することができる。幾つかの実施形態では、ゾーンコントローラは、それによって制御されるピコアクセスポイントに隣接するマクロｅＮＢに指標を報告することができる。負荷指標を交換し、更新されたＡＢＳパターンをｅＮＢに知らせるためのプロトコルは、３ＧＰＰ  Ｘ２  ＩＥの使用を含むことができる。３ＧＰＰ  Ｘ２規格に準拠しないが、実質的に同様の情報を表す別の機構を用いることもできる。マクロｅＮＢ及びピコｅＮＢは、ハンドオーバ閾値をＡＢＳパターンとともに調節するために、負荷バランス調整計算を実施することができる。
【００３３】
図５は、本発明の実施形態による別の構成５００を示す。この別の構成では、中央サーバ１０１は存在せず、図１に例示する残りの要素を示している。この構成では、マクロｅＮＢ及びピコｅＮＢは、これらのｅＮＢ自体の間で負荷指標を交換する。１つの例示的な実施形態では、各マクロｅＮＢは、ＡＢＳ比率決定及びパターン選択に関して、隣接マクロ測定結果及びピコ測定結果を考慮して、自身の局所判定を行う。ＡＢＳ決定及びパターン選択は、ネットワーク全体ではなく、セルの「局所セット」の内部で適用されることになる。１つの実施形態では、判定を行う際にマクロｅＮＢが考慮する局所セルセットを、このｅＮＢと、このマクロセルに隣接するピコセルとを含むマクロセルに制限することができる。他の実施形態では、判定を行う際にマクロｅＮＢが考慮する局所セットは、隣接するマクロセルも含むことができる。また、他の実施形態では、ピコｅＮＢは、ＡＢＳ比率の決定及びパターン選択に参加することができる。情報は、例えば、「複合残余容量」ＩＥ等の３ＧＰＰ  Ｘ２  ＩＥを用いて交換することができる。幾つかの実施形態では、様々なネットワーク要素は、これらの要素の独自の特定の専用解釈を用いてＩＥを解釈するように構成することができる。ピコｅＮＢが複数の隣接するマクロセルを有する幾つかの実施形態では、ピコｅＮＢは、一般的に互いに整合していない場合がある複数の隣接するマクロｅＮＢによって別個に決定されたＡＢＳパターンを受信することができる。この場合、ピコセルは、ＡＢＳとして用いる適切なセットを、このピコセルの最も強度の高い隣接ｅＮＢのＡＢＳパターンを選ぶ、又は異なる隣接ｅＮＢによって提案されるＡＢＳパターンの共通サブセットを選ぶ等、異なるマクロ隣接ｅＮＢにおいて適用されるＡＢＳパターンに基づいて選択することができる。次に、ピコｅＮＢは、それ自体が適用するＡＢＳパターンをマクロ隣接ｅＮＢに知らせることができる。次に、この各マクロｅＮＢは、それ自体の更新されたＡＢＳ比率及びパターンを決定する際にこの情報を考慮することができる。更にピコｅＮＢは、ＡＢＳ比率及びパターンを更新するために用いることもできる、採用されたＡＢＳパターンの有効性に関する追加情報を伝送することができる。例えば、この情報は、ＡＢＳからの干渉からの保護に値するＵＥ比率に対するＡＢＳパターン内のリソースを表すパーセンテージ値から成ることができる。１つのかかる情報要素は、３ＧＰＰ規格Ｘ２インターフェース内でＤｏｗｎｌｉｎｋ  ＡＢＳ  Ｓｔａｔｕｓ  Ｉｎｆｏｒｍａｔｉｏｎ  Ｅｌｅｍｅｎｔ（ダウンリンクＡＢＳ状況情報要素）（ＩＥ）として表わされる。１つの実施形態は、現在のＡＢＳ比率の比を、実質的にＡＢＳの内部で現在配分を受けているＵＥの一部分にパーセンテージとして伝送する。かかる情報をよって、ピコのＡＢＳ部分内の負荷（ＰＦ）指標に対するピコの非ＡＢＳ部分内の負荷（ＰＦ）指標の比を推測し、更新されたＡＢＳ比率を決定するために用いることができる。
【００３４】
別の例示的な実施形態では、マクロｅＮＢは、自身の隣接ピコｅＮＢの指標並びにマクロ負荷情報をカプセル化する隣接マクロｅＮＢと、修正されたメッセージとを交換することができる。この交換は、好適にはＸ２＋と呼ばれるＸ２インターフェースの拡張として好適に実装することができ、例えば、新しい情報要素、又はＸ２インターフェースによって用いられるものから何らかの方法で修正された情報要素を用いることができる。修正されたメッセージの使用は、いずれかの単一のマクロｅＮＢの局所区域を超えたマクロｅＮＢセットに適用可能な共通ＡＢＳ比率を容易にすることに向けられている。
【００３５】
コントローラ１１２等のゾーンコントローラを用いる別のアーキテクチャが採用される場合には、ゾーンコントローラは、このコントローラの下にある全てのＡＰに対する指標を好適に収集することができる。次に、コントローラは、全ての個別指標又はＡＰ指標のサブセットを、隣接するマクロｅＮＢに報告することができ、或いは代替的に、ピコｅＮＢの集合体を表す統合指標を報告することができる。
【００３６】
ＡＢＳ比率が決定されると、パターン内のミュート／ブランクサブフレーム比率が所望の比率となるように、ミュートすべきサブフレームの指定パターンを選択する必要がある。前述のように、ＵＥは、ＡＢＳサブフレーム内のチャネル品質を表すためにある特定のサブフレームに制限されたサービス提供ｅＮＢに対する測定と、非ＡＢＳサブフレーム内のチャネル品質を表すために他のサブフレームに制限された測定とを行うことができることから、更新されたパターンを、更新された測定制限サブセットの形態でＵＥに信号伝送する必要がある。処理及び信号伝送の容量制限に起因して、全てのＵＥを一斉に信号伝送することはできない場合がある。従って、更新されたパターン内でＡＢＳサブフレームとして指定されるサブフレームセットが、前回適用されたパターン内でＡＢＳサブフレームとして指定されたサブフレームセットとができるだけ一致することが好ましい。不一致を最小に抑える１つの手法は、新しいＡＢＳ比率が前回の比率よりも大きい場合、新しいＡＢＳパターンが、前回のパターンのスーパーセットであることを保証することである。それとは逆に、新しいＡＢＳ比率が前回の比率よりも小さい場合、新しいＡＢＳパターンは、前回のパターンのサブセットである必要がある。
【００３７】
ＵＥは、予測パターンと真のパターンとの間で少数のサブフレームだけで不一致を生じるはずなので、このようなやり方を使用すると、ＵＥのうちの幾つかに更新されたパターンを通知する際に遅延があった場合であっても、測定誤差に起因する性能劣化が重大なものにはならないことを保証するのに役立つ。
【００３８】
図４に示す構成のような分散型の実施形態では、各マクロｅＮＢは、その局所区域条件に基づいて、独自のＡＢＳ比率を選ぶことができる。この理由から、隣接する２つのマクロｅＮＢによって選ばれたＡＢＳ比率の間には不一致が存在する可能性がある。ＵＥは、ＡＢＳ部分又は非ＡＢＳ部分に制限された、隣接ｅＮＢに対する測定を行うことができることから、ＡＢＳパターンが変更された場合には、ＵＥは、隣接測定に対するその測定制限サブセットを修正するように信号伝送によって通知を受ける必要がある。さもなければ、不一致による不正確な測定結果に起因して性能劣化が存在する場合がある。ここでもシグナリング負荷を最小限に抑えるために、必要とされるシグナリング量を低減することが望ましい。従って、隣接ｅＮＢ内で用いられるＡＢＳサブフレームパターンの間の不一致を最小限に抑えることが有益である。
【００３９】
隣接ｅＮＢの間のＡＢＳサブフレームセットの不一致、並びにＡＢＳパターンの更新前の前回のパターンと更新後の新しいパターンとの間の不一致のかかる最小化を実現するために、サブフレームをブランク化する「好ましい順序」を全てのｅＮＢに予め割り当てることができる。マクロｅＮＢがそのＡＢＳ比率を高める必要がある場合には、マクロｅＮＢは、追加のブランクサブフレームセットが、好ましいブランク化順序に従う新しいパターンを選ぶことになる。幾つかの実施形態では、好ましいブランク化順序は、ある一定の周期性に従って、アップリンク許可（一般的にＰｈｙｓｉｃａｌ  Ｄｏｗｎｌｉｎｋ  Ｃｏｎｔｒｏｌ  Ｃｈａｎｎｅｌ（物理的ダウンリンク制御チャネル）又はＰＤＣＣＨ送信として公知の）及びａｃｋメッセージ又はｎａｃｋメッセージ（一般的にＰｈｙｓｉｃａｌ  Ｈｙｂｒｉｄ  ＡＲＱ  Ｉｎｄｉｃａｔｉｏｎ  Ｃｈａｎｎｅｌ（物理的Ｈｙｂｒｉｄ  ＡＲＱ指示チャネル）又はＰＨＩＣＨとして公知）を与えるための順次多くなる制御チャネル送信インスタンスに対して干渉からの保護を与える段階に対応するものとすることができる。例示的な実施形態では、サブフレームをブランク化する好ましい順序は、第１のアップリンクＨｙｂｒｉｄ  ＡＲＱプロセス（８つのサブフレーム内に１つの周期性に対応する）、第１及び第２のアップリンクＨｙｂｒｉｄ  ＡＲＱプロセス（８つのサブフレーム内に２つの周期性に対応する）、第１及び第２の並びに第３のＨｙｂｒｉｄ  ＡＲＱプロセスを含む３つのＨｙｂｒｉｄ  ＡＲＱプロセス（８つのサブフレーム内に３つの周期性に対応する）、以降同様に続くプロセスに対するＰＤＣＣＨアップリンク許可の可能性のある送信インスタンスを網羅するために順次追加されるブランクサブフレームからなるものとすることができる。幾つかの実施形態では、特定の好ましい順序を１つのセルセットに割り当て、異なる好ましい順序を異なるセルセットに割り当てることを好ましいものとすることができる。例えば、単一のマクロｅＮＢが、異なる方向に向きが定められたセクターアンテナを採用することによって複数のセクターに対応することができるシステムでは、第１の好ましいブランク化順序を全ての隣接するｅＮＢのセクター１に割り当て、第２の好ましいブランク化順序を全ての隣接するｅＮＢのセクター２に割り当て、以降同様に続けることを好ましいものとすることができる。同じマクロｅＮＢにあるが異なって向きが定められたセクターは、セクターの縁部の近くで互いに干渉する可能性があり、従って、各セクターに異なる好ましいブランク化順序を割り当てることによって、セクター間の干渉を軽減することも促進することができる。セクター間のかかる交互パターンの使用は、同じマクロｅＮＢからの複数のセクターによって干渉を受けるピコｅＮＢが存在しない場合に好ましいものとすることができ、そうでない場合にはあまり好ましくないものとすることができる。３セクターのｅＮＢを有するシステムにおいて好ましいブランク化順序の例示的な割り当てでは、セクター１の好ましいブランク化順序は、Ｈｙｂｒｉｄ  ＡＲＱ０、３、６、１、４、７、２、５を順次含める段階からなるものとすることができ、それに対して���クター２の好ましいブランク化順序は、Ｈｙｂｒｉｄ  ＡＲＱ１、４、７、２、５、０、３、６を順次ブランク化する段階からなるものとすることができ、以降同様に続く。
【００４０】
図１に示すような中央集中型の実施形態では、ＡＢＳ比率の更新に従って、全てのｅＮＢに同じＡＢＳパターンを適用することができる。もしくは、異なるパターンを異なるｅＮＢに信号伝送することができるが、依然として前述の分散の場合におけるものと同様に、隣接ｅＮＢの間の不一致が最小限に抑えられる。この場合にも、ＡＢＳパターンを更新する際に好ましい順序を適用することができる。
【００４１】
中央集中型構成と分散型構成との両方に適用することができる本発明の更なる実施形態によれば、ＡＢＳパターンは、静的部分と動的に適応される部分とからなるものとすることができる。静的部分は、各セルにおける特定のパターン指定等によって全てのセルに共通のものとなり、それに対して各セルは、ＡＢＳパターンの動的部分のみを適応さることができる。最終結果は、セルによって用いられるパターンが、静的部分と動的部分との和集合となるであろう。この正味のパターンは、前回のパターンのサブセット又はスーパーセットであるように好適に選択できるであろう。１つの実施形態では、ＡＢＳパターンの静的部分は、ＡＢＳパターンの共通最小サブセットを表す。それとは逆に、非ＡＢＳパターンの共通最小サブセットを示すこともできる。この場合、ＡＢＳサブセットが適応される際に非ＡＢＳサブセットが縮小又は拡大する場合であっても、ＡＢＳ適応に関係なく常に非ＡＢＳのままである共通最小の非ＡＢＳサブフレームが依然として存在することができる。１つの実施形態では、共通最小ＡＢＳサブセットは、ＡＢＳに対応するチャネル状態測定を行う制限サブセットとしてピコ内のＵＥに提供することになり、共通最小非ＡＢＳサブセットは、非ＡＢＳに対応するチャネル状態測定を行う制限サブセットとしてピコ内のＵＥに提供されることになる。１つの実施形態では、共通最小ＡＢＳサブセットは、システム情報ブロック（ＳＩＢ）メッセージ、又は最も弱いチャネル条件であってもＵＥに到達することが意図される他の同報通信メッセージ等の、特定の制御メッセージの送信に対する干渉からの保護を可能にするように選択することができる。共通最小ＡＢＳサブセットを超えてＡＢＳサブフレームセットを増やすことが望ましい場合、このＡＢＳサブフレームセットを、前述の好ましい順序に従って、例示的な実施形態では、順次多くなるアップリンクＨｙｂｒｉｄ  ＡＲＱに対するＰＤＣＣＨアップリンク許可の送信インスタンスに対応してサブフレームを追加することによって増やすことができる。共通最小ＡＢＳサブセットが、一般的に固定の周期で発生するＳＩＢメッセージ等の同報通信送信に対して保護を与えるように選ばれる場合、幾つかの実施形態は、マクロｅＮＢとピコｅＮＢとの間に時間オフセットを適用することができる。マクロのＡＢＳサブフレームがこのマクロ自体の同報通信メッセージ送信インスタンスと重畳する場合、マクロｅＮＢは、それ自体の同報通信メッセージを送信することができない場合がある。適切な時間オフセット（一般的にサブフレームの整数倍）を適用することによって、マクロｅＮＢは、それ自体の同報通信メッセージを送信すると同時に、さらにＡＢＳサブフレームを用いて、ピコの同報通信送信が発生する時点でピコｅＮＢ干渉保護を与えることが可能になる。それに加えて、マクロｅＮＢは、サブフレームの小部分でしか発生しない特定の同報通信送信に対してピコｅＮＢ保護を与えるために、サブフレーム全体をオールモストブランク化するのではなく、部分ブランク化を用いることができる。かかる同報通信送信は、例えば、物理的同報通信チャネル（ＰＢＣＨ）、並びに１次及び２次の同期化信号（ＰＳＳ、ＳＳＳ）を含む。マク���ｅＮＢは、少数のリソース要素における送信を回避するだけでよく、ピコがかかる信号を送信することになる。付随的に、マクロｅＮＢは、これらの信号に対応するリソース要素における送信を行わないことに起因して生じる損失を埋め合わせるために、これらのサブフレームの間の送信に対して、より控えめな変調及び符号化体系の選択を適用することができる。
【００４２】
次に、ｅＮＢ１０２Ａ等のｅＮＢ、及びＵＥ１１０Ａ等のＵＥ、並びに中央サーバ１０１の詳細の簡略ブロック図を示すための図６を参照されたい。
【００４３】
ｅＮＢ１０２Ａは、双方向無線通信のための１つ又はそれ以上のアンテナ６０４Ａに結合された適切な無線周波（ＲＦ）送信器及び受信器６０２Ａを含む。ｅＮＢ１０２Ａは、更にデータプロセッサ（ＤＰ）６１０Ａと、プログラム（ＰＲＯＧ）６０８Ａを記憶するメモリ（ＭＥＭ）６０８Ａとを含む。また、ＵＥ１１０Ａは、送信器及び受信器６０２Ｂと、アンテナ６０４Ｂと、ＤＰ６１０Ｂと、ＰＲＯＧ６０６Ｂを記憶するＭＥＭ６０８Ｂとを含む。中央サーバ１０１は、適切なＤＰ６２０とＭＥＭ６２２とＰＲＯＧ６２４とを含む。
【００４４】
ＰＲＯＧ６０６Ａ、６０６Ｂ、及び６２４のうちの少なくとも１つは、関連するＤＰによって実行された場合に、電子デバイスは、前述の本発明の例示的な実施形態に従って動作することを可能にするプログラム命令を含むことが想定される。
【００４５】
一般的に本発明の例示的な実施形態は、ｅＮＢ１０２ＡのＤＰ６１０Ａ及び他のＤＰによって、又はハードウェアによって、或いはソフトウェア及び／又はファームウェアとハードウェアとの組み合わせによって実行可能なコンピュータソフトウェアによって実装することができる。主要論理要素の間の相互作用は、当業者には、本明細書における単なる特定の例を超える本発明の広義の態様の捕捉及び理解に必要とされる詳細レベルで明らかであろう。本発明は、本発明の所期の機能を実施し、中央プロセッサ、ランダムアクセスメモリＲＡＭ、読み取り専用メモリＲＯＭ、及び前述のＡＰ１２とＵＥ１０との間で通信を行うための通信ポートを含む、特定用途向け集積回路ＡＳＩＣ、現場プログラミング可能ゲートアレイＦＰＧＡ、デジタル信号プロセッサ、又は他の適切なプロセッサを用いて実装することができることに注意されたい。
【００４６】
一般的に、ＵＥ１１０Ａの様々な実施形態は、セルラー電話、無線通信能力を有する携帯情報端末（ＰＤＡ）、無線通信能力を有する携帯コンピュータ、無線通信能力を有するデジタルカメラ等の画像取込デバイス、無線通信能力を有するゲームデバイス、無線通信能力を有する音楽記憶及び再生機器、無線インターネットアクセス及びブラウジングを可能にするインターネット機器、並びにかかる機能の組み合わせを組み込んだ携帯ユニット又は端末を含むが、これらに限定されない。
【００４７】
ＭＥＭ６０８Ａ、６０８Ｂ、及び６２２は、局所技術環境に適する任意の形式とすることができ、半導体利用のメモリデバイス、磁気メモリのデバイス及びシステム、光メモリのデバイス及びシステム、固定メモリ、及び着脱可能メモリ等の任意の適切なデータ記憶技術を用いて実装することができる。ＤＰ６１０Ａ及び６１０Ｂは、局所技術環境に適する任意の形式とすることができ、汎用コンピュータ、専用コンピュータ、マイクロプロセッサ、デジタル信号プロセッサ（ＤＳＰ）、及びマルチコアプロセッサアーキテクチャに基づくプロセッサのうちの１つ又はそれ以上を、非限定的な例として含むことができる。
【００４８】
メモリのうちの少なくとも１つは、関連のプロセッサによって実行される場合に、電子デバイスが、前記の実施例によって詳述した本発明の例示的な実施形態に従って動作することを可能にするソフトウェアプログラム命令を実体的に収録することが想定される。従って、本発明の例示的な実施形態は、ｅＮＢ１０２Ａ又はＵＥ１１０Ａ或いはサーバ１０１のコントローラ／ＤＰによって、又はハードウェアによって、或いはソフトウェアとハードウェアとの組み合わせによって実行可能なコンピュータソフトウェアによって少なくとも部分的に実装することができる。
【００４９】
当業者には、前述の説明を踏まえて、本発明の前述の例示的な実施形態に対する様々な修正及び適応が明らかになろう。様々な例示的な実施形態を上記に説明したが、本発明の実施は、本明細書に示し、解説した例示的な実施形態に限定されないことを理解されたい。
【００５０】
更に、上記の非限定的な実施形態の様々な特徴のうちの幾つかは、説明した他の特徴の相応する使用なしに有益に用いることができる。従って、前述の説明は、本発明の原理、教示、及び例示的な実施形態を示すものに過ぎず、これらを限定するものではないと見なすべきである。
【００５１】
それに加えて、ｖa、ｖna、及び他のパラメータ等の様々なパラメータは、何らかの適切な名称で識別することができることから、これらのパラメータに用いた様々な名称は、何らかの関連において限定されることを意図するものではない。更に、これらの様々なパラメータを用いた式及び表現は、本明細書に明示的に開示したものとは異なるものとすることができる。
【符号の説明】
【００５２】
２０２  「負荷指標」を監視する。
２０４  負荷指標を交換する。
２０６  更新されたＡＢＳ比率を決定する。
２０８  更新されたＡＢＳ比率の通知
２１０  更新されたＡＢＳ比率の把握内容を、スケジューリング、負荷指標計算において用いる。
【図１】
2014532345.tif 000004
【図２】
2014532345.tif 000005
【図３】
2014532345.tif 000006
【図４】
2014532345.tif 000007
【図５】
2014532345.tif 000008
【図６】
2014532345.tif 000009
【手続補正書】
【提出日】平成26年3月31日(2014.3.31)
【手続補正１】
【補正対象書類名】特許請求の範囲
【補正対象項目名】全文
【補正方法】変更
【補正の内容】
【特許請求の範囲】
【請求項１】
メモリと、
少なくとも１つのプロセッサと、
命令プログラムと、
を備える装置であって、
前記命令プログラムは、前記メモリ及び前記少なくとも１つのプロセッサを用いて、少なくとも、
ネットワークの１つ又はそれ以上のノードに影響を与える負荷に関する負荷指標情報を監視する段階と、
オールモストブランクサブフレーム比率を、前記負荷指標情報に基づく更新された比率を作成するように更新する段階と、
を含む措置を実施するように前記装置を構成するように構成されていることを特徴とする装置。
【請求項２】
前記装置はネットワークノードであり、負荷指標情報は、少なくとも１つの他のネットワークノードが受ける負荷条件に関し、前記更新されたオールモストブランクサブフレーム比率は、前記装置によって監視される負荷指標情報と、前記少なくとも１つの他のネットワークノードが受ける負荷条件に関連する負荷指標情報とに基づく、請求項１に記載の装置。
【請求項３】
負荷指標情報は、分散型シグナリング及び中央集中シグナリングのうちの少なくとも一方を用いて少なくとも１つの他のネットワークノードと共有される、請求項２に記載の装置。
【請求項４】
前記負荷指標情報は、公平配分負荷指標に関する、請求項３に記載の装置。
【請求項５】
前記比例公平性指標は、前記他のネットワークノードの隣接セルがオールモストブランクサブフレームを用いる所定の間隔、及び前記他のネットワークノードの隣接セルはオールモストブランクサブフレームを用いない所定の間隔のうちの少なくとも一方にわたって平均化される、請求項４に記載の装置。
【請求項６】
オールモストブランクサブフレーム比率を更新する段階は、
前記少なくとも１つの他のネットワークノードの第１のサブセットに関係する負荷指標の第１の和を計算する段階であって、前記少なくとも１つの他のネットワークノードの第１のサブセット内のネットワークノードに関係する負荷指標が、所定の間隔にわたる比例公平性指標であり、前記少なくとも１つの他のネットワークノードの第１のサブセット内のネットワークノードの少なくとも１つの隣接セルがオールモストブランクサブフレームを用いる段階と、
前記少なくとも１つの他のネットワークノードのうちの１つ又はそれ以上の第１のサブセットに関係する負荷指標の第２の和を計算する段階であって、前記少なくとも１つの他のネットワークノードの第１のサブセット内のネットワークノードに関係する負荷指標が、所定の間隔にわたる比例公平性指標であり、前記少なくとも１つの他のネットワークノードの第１のサブセット内のネットワークノードの隣接セルがオールモストブランクサブフレームを用いない段階と、
前記少なくとも１つの他のネットワークノードのうちの１つ又はそれ以上の第２のサブセットに関係する負荷指標の第３の和を計算する段階であって、前記少なくとも１つの他のネットワークノードの第２のサブセット内のネットワークノードに関係する負荷指標が、所定の間隔にわたって平均化された比例公平性指標であり、前記少なくとも１つの他のネットワークノードの第２のサブセット内のネットワークノードがオールモストブランクサブフレームを用いない段階と、
更新されたオールモストブランクサブフレーム比率を、前記第１の和、前記第２の和、及び前記第３の和の関数として決定する段階と、
を含む、請求項４に記載の装置。
【請求項７】
前記更新されたオールモストブランクサブフレーム比率を、第１の和、第２の和、及び第３の和の関数として決定する段階は、
前記第１の和と前記第２の和と前記第３の和との重み付き合計に対する前記第１の和の比を決定する段階と、
前記比と、前記オールモストブランクサブフレーム比率の現在値とに基づいてステップサイズを決定する段階と、
前記更新されたオールモストブランクサブフレーム比率を、前記オールモストブランクサブフレーム比率の前記現在値と前記ステップサイズとの和として決定する段階と、
を含む、請求項６に記載の装置。
【請求項８】
前記措置は、前記更新された比率に基づいて更新されたオールモストブランクサブフレームパターンを生成する段階を更に含み、前記装置はネットワークのノードであり、前記措置は、前記ネットワークの他のノードに、前記更新された比率及び更新されたオールモストブランクサブフレームパターンのうちの１つ又はそれ以上を通知する段階を更に含む、請求項１に記載の装置。
【請求項９】
前記更新されたパターンの選択は、共通最小サブセットを含むサブフレームセットをオールモストブランクサブフレームとして指定する段階と、前記共通最小サブセットを、前記ＡＢＳサブフレームの内部のチャネル品質を表すために測定を行う際の測定制限サブセットの一部として用いられるように、少なくとも１つのユーザデバイスに提供する段階とを含む、請求項８に記載の装置。
【請求項１０】
前記更新されたパターンの選択は、非オールモストブランクサブフレーム共通最小サブセットを含むサブフレームセットを非オールモストブランクサブフレームとして指定する段階を含み、前記措置は、前記非ＡＢＳサブフレーム共通最小サブセットを少なくとも１つのユーザデバイスに提供する段階を更に含み、前記非オールモストブランクサブフレーム共通最小サブセットを少なくとも１つのユーザデバイスに提供する段階は、前記非オールモストブランクサブフレーム共通最小サブセットを、少なくとも１つのセルに関するチャネル品質を表すために測定を行う際の測定制限サブセットの一部として用いられるように、前記少なくとも１つのデバイスを構成する段階を含む、請求項９に記載の装置。
【請求項１１】
前記装置はネットワークノードであり、前記オールモストブランクサブフレーム比率を更新する段階は、前記オールモストブランクサブフレーム比率を反復的に更新する段階と、負荷指標情報を検査する段階とを含み、前記オールモストブランクサブフレーム比率を反復的に更新する段階は、ＵＥを少なくとも第１のネットワークノードと少なくとも第２のネットワークノードとの間で配分するように負荷バランス調整を実施する段階を含む、請求項１に記載の装置。
【請求項１２】
前記シグナリングは、３ＧＰＰ  Ｘ２メッセージの使用を含み、前記シグナリングは、複合残余容量情報要素の使用を更に含む、請求項３に記載の方法。
【請求項１３】
ネットワークの１つ又はそれ以上のノードに影響を与える負荷に関する負荷指標情報を監視する段階と、
オールモストブランクサブフレーム比率を、前記負荷指標情報に基づいて更新された比率を作成するように更新する段階と、
を少なくとも含む措置を実行するよう装置を制御するように少なくとも１つのプロセッサを構成する段階を含む方法。
【請求項１４】
前記装置はネットワークノードであり、負荷指標情報は、少なくとも１つの他のネットワークノードが受ける負荷条件に関し、前記更新されたオールモストブランクサブフレーム比率は、前記装置によって監視される負荷指標情報と、該少なくとも１つの他のネットワークノードが受ける負荷条件に関連する負荷指標情報に基づく、請求項１３に記載の方法。
【請求項１５】
負荷指標情報は、分散型シグナリング及び中央集中型シグナリングのうちの少なくとも一方を用いて少なくとも１つの他のネットワークノードと共有される、請求項１４に記載の方法。
【請求項１６】
前記負荷指標情報は、比例公平性負荷指標に関する、請求項１５に記載の方法。
【請求項１７】
命令プログラムを記憶するコンピュータ可読媒体であって、プロセッサによる該命令の実行により、
ネットワークの１つ又はそれ以上のノードに影響を与える負荷に関する負荷指標情報を監視する段階と、
オールモストブランクサブフレーム比率を、前記負荷指標情報に基づいて更新された比率を作成するように更新する段階と、
を少なくとも含む措置を実行するよう装置を構成するようになっている、コンピュータ可読媒体。
【請求項１８】
前記装置はネットワークノードであり、負荷指標情報は、少なくとも１つの他のネットワークノードが受ける負荷条件に関し、前記更新されたオールモストブランクサブフレーム比率は、前記装置によって監視される負荷指標情報と、前記少なくとも１つの他のネットワークノードが受ける負荷条件に関連する負荷指標情報とに基づく、請求項１７に記載のコンピュータ可読媒体。
【請求項１９】
負荷指標情報は、分散型シグナリング及び中央集中型シグナリングのうちの少なくとも一方を用いて少なくとも１つの他のネットワークノードと共有される、請求項１８に記載のコンピュータ可読媒体。
【請求項２０】
前記負荷指標情報は、比例公平性負荷指標に関する、請求項１９に記載のコンピュータ可読媒体。
【国際調査報告】
2014532345.tif 000010
2014532345.tif 000011
2014532345.tif 000012
2014532345.tif 000013
2014532345.tif 000014